(57)【要約】【課題】生ごみの処理の省エネ化及び使用性の向上を図った生ごみ処理機を提供することを目的とする。【解決手段】生ごみを投入する処理槽１と、前記処理槽１内の生ごみを加熱する加熱手段２と、前記処理槽内の生ごみの撹拌を行う撹拌手段３と、機器の運転動作を制御する制御手段（図示せず）とを備え、前記制御手段（図示せず）は、使用者が予約設定した運転開始時刻および／または運転終了時刻に、機器が運転を開始および／または終了するような機能を有するもので、電気料金の安価な夜間運転が容易に行え、省エネ化が図れるものである。【選択図】図１
2005087950.tif 000002
【特許請求の範囲】
【請求項１】
生ごみを投入する処理槽と、前記処理槽内の生ごみを加熱する加熱手段と、前記処理槽内の生ごみの撹拌を行う撹拌手段と、機器の運転動作を制御する制御手段とを備え、前記制御手段は、使用者が予約設定した運転開始時刻および／または運転終了時刻に、機器が運転を開始および／または終了するような機能を有する生ごみ処理機。
【請求項２】
使用者が予約設定した運転開始時刻および／または運転終了時刻を表示する表示手段を備えた請求項１記載の生ごみ処理機。
【請求項３】
機器の運転時間を記憶できる記憶手段を備え、使用者が予約設定した運転終了時刻から前記運転時間を差し引き、その時刻から運転を開始することで、使用者の予約設定した時刻に機器の運転が終了するように構成した請求項１または２記載の生ごみ処理機。
【請求項４】
使用者が予約設定した運転開始時刻および／または運転終了時刻を記憶できる記憶手段を備え、一度予約設定した運転を行った後、再度予約設定を行う場合には、前記記憶手段に記憶されている時刻を最初に表示するように構成した請求項２記載の生ごみ処理機。
【請求項５】
運転開始時刻および／または運転終了時刻の予約設定が、曜日単位で行えるように構成した請求項１〜４のいずれか１項に記載の生ごみ処理機。
【請求項６】
使用者が予約設定した運転時刻および／または曜日を複数個記憶できる記憶手段を備え、前記記憶手段に記憶されている運転時刻および／または曜日を用いて、使用者が再度予約設定が行えるように構成した請求項１〜５のいずれか１項に記載の生ごみ処理機。
【請求項７】
運転日も予約設定可能である請求項１〜６のいずれか１項に記載の生ごみ処理機。
【請求項８】
使用者が運転時刻を予約設定してから運転開始までの間は、制御手段への供給電源として、電池を用いる請求項１〜７のいずれか１項に記載の生ごみ処理機。
【請求項９】
電池は、二次電池である請求項８記載の生ごみ処理機。
【請求項１０】
機器の運転中に、二次電池の充電を行う請求項９記載の生ごみ処理機。
【請求項１１】
二次電池の充電を、夜間割引料金電力等の特定時間帯にのみ行う請求項１０記載の生ごみ処理機。
【請求項１２】
二次電池の電圧が所定の電圧以下になった場合には、夜間割引料金電力等の特定時間帯以外にも充電を行う請求項１０記載の生ごみ処理機。
【請求項１３】
使用者が運転時刻を予約設定してから運転開始までの間は、制御手段への供給電源として二次電池を用いるが、前記二次電池の電圧が所定の電圧以下になった場合には、制御手段への供給電源として商用電源を使用する請求項１〜７のいずれか１項に記載の生ごみ処理機。
【請求項１４】
電池の残量を、使用者に報知する報知手段を設けた請求項８〜１３のいずれか１項に記載の生ごみ処理機。
【請求項１５】
処理槽内に生ごみが投入されたことを検知する検知手段を備え、前記処理槽内に生ごみが投入されてから運転開始時刻までの間に、加熱手段を駆動させる請求項１〜１４のいずれか１項に記載の生ごみ処理機。
【発明の詳細な説明】
【技術分野】
【０００１】
本発明は、食品などの生ごみを乾燥処理する生ごみ処理機に関するものである。
【背景技術】
【０００２】
従来の生ごみ処理機においては、運転予約という概念がなかった。しかし近年、深夜電力や時間帯別契約の普及により、その時間帯に電気機器を使用する場合が増加してきている（例えば、特許文献１参照のこと）。そのため、夜間の電気料金が昼間のそれに比べて低価格である家庭が増加しており、別途購入した市販のタイマースイッチを機器に接続して夜間割引料金電力の時間帯等に運転開始するように予約運転を行っているお客様も少なくない。
【特許文献１】特開２００２−４５８２１号公報
【発明の開示】
【発明が解決しようとする課題】
【０００３】
前記従来の構成においては、電気代の比較的安価な夜間に運転を行うためには、背景技術に記載したように別途タイマーを購入して機器に接続するか、使用者が夜間に生ごみ処理機を操作して運転を開始させる必要があった（一般的には割引料金になる時刻は夜１１時〜翌朝７時）。
【０００４】
更に、運転音が気になるため、就寝後に運転を開始させたいというお客様にとっては、別途タイマー購入していただく以外に方法がなく、不便な思いをさせてしまうという課題があった。
【０００５】
本発明は、前記従来の課題を解決するもので、生ごみの処理の省エネ化及び使用性の向上を図った生ごみ処理機を提供することを目的とする。
【課題を解決するための手段】
【０００６】
前記課題を解決するために本発明は、生ごみを投入する処理槽と、前記処理槽内の生ごみを加熱する加熱手段と、前記処理槽内の生ごみの撹拌を行う撹拌手段と、機器の運転動作を制御する制御手段とを備え、前記制御手段は、使用者が予約設定した運転開始時刻および／または運転終了時刻に、機器が運転を開始および／または終了するような機能を有するもので、電気料金の安価な夜間運転が容易に行え、省エネ化が図れるものである。
【発明の効果】
【０００７】
生ごみの処理の省エネ化及び使用性の向上を図った生ごみ処理機を提供できる。
【発明を実施するための最良の形態】
【０００８】
第１の発明は、生ごみを投入する処理槽と、前記処理槽内の生ごみを加熱する加熱手段と、前記処理槽内の生ごみの撹拌を行う撹拌手段と、機器の運転動作を制御する制御手段とを備え、前記制御手段は、使用者が予約設定した運転開始時刻および／または運転終了時刻に、機器が運転を開始および／または終了するような機能を有するもので、電気料金の安価な夜間運転が容易に行え、省エネ化が図れるものである。
【０００９】
第２の発明は、使用者が予約設定した運転開始時刻および／または運転終了時刻を表示する表示手段を備えたもので、電気料金の安価な夜間運転が容易に行え、省エネ化が図れるとともに、使用性が向上するものである。
【００１０】
第３の発明は、機器の運転時間を記憶できる記憶手段を備え、使用者が予約設定した運転終了時刻から前記運転時間を差し引き、その時刻から運転を開始することで、使用者の予約設定した時刻に機器の運転が終了するように構成したもので、運転終了予約に対して実際の終了時刻の精度が向上し、信頼性の高い予約運転が提供できる。
【００１１】
第４の発明は、使用者が予約設定した運転開始時刻および／または運転終了時刻を記憶できる記憶手段を備え、一度予約設定した運転を行った後、再度予約設定を行う場合には、前記記憶手段に記憶されている時刻を最初に表示するように構成したもので、毎回同じ時刻設定をするお客様にとっては、都度時刻設定を行う手間が省けるため、使用性が向上する。
【００１２】
第５の発明は、運転開始時刻および／または運転終了時刻の予約設定が、曜日単位で行えるように構成したもので、例えばごみ収集日前日にまとめて生ゴミを処理するお客さまにとっては、都度時刻設定を行う手間が省けるため、使用性が向上する。
【００１３】
第６の発明は、使用者が予約設定した運転時刻および／または曜日を複数個記憶できる記憶手段を備え、前記記憶手段に記憶されている運転時刻および／または曜日を用いて、使用者が再度予約設定が行えるように構成したもので、毎週特定の曜日に処理を行いたいお客様にとっては、都度設定を行う手間が省けるため、使用性が向上する。また、特定の時刻に処理を行いたいお客様にとっても、都度設定を行う手間が省けるため、使用性が向上する。
【００１４】
第７の発明は、運転日も設定可能であるもので、毎月特定の日に処理を行いたいお客様にとっては、都度設定を行う手間が省けるため、使用性が向上する。
【００１５】
第８の発明は、使用者が運転時刻を予約設定してから運転開始までの間は、制御手段への供給電源として、電池を用いるもので、予約中すなわち昼間の電気料金が安価でない時に極力消費電力量を減らすことで更なる省エネ化が図れる。
【００１６】
第９の発明は、電池は、二次電池であるもので、予約中すなわち昼間の電気料金が安価でない時に極力消費電力量を減らすことで更なる省エネ化が図れると共に、都度充電を行うようにすることで、電池交換等の手間がなくなり使用性が向上する。
【００１７】
第１０の発明は、機器の運転中に、二次電池の充電を行うもので、電気料金の安価な夜間に充電を行うことで省エネ化が図れる。
【００１８】
第１１の発明は、二次電池の充電を、夜間割引料金電力等の特定時間帯にのみ行うもので、電気料金の安価な夜間に充電を行うことで省エネ化が図れる。
【００１９】
第１２の発明は、二次電池の電圧が所定の電圧以下になった場合には、夜間割引料金電力等の特定時間帯以外にも充電を行うもので、省エネ化を図りつつ、電池が完全に空になることを防止することで使用性が向上する。
【００２０】
第１３の発明は、使用者が運転時刻を予約設定してから運転開始までの間は、制御手段への供給電源として二次電池を用いるが、前記二次電池の電圧が所定の電圧以下になった場合には、制御手段への供給電源として商用電源を使用するもので、万が一電池が空になった場合の救済措置を追加したため使用性が向上する。
【００２１】
第１４の発明は、電池の残量を、使用者に報知する報知手段を設けたもので、電池の残量をお客様に報知することにより対応を促すことができ、使用性が向上する。
【００２２】
第１５の発明は、処理槽内に生ごみが投入されたことを検知する検知手段を備え、前記処理槽内に生ごみが投入されてから運転開始時刻までの間に、加熱手段を駆動させるもので、収容槽内の生ごみが腐敗をはじめる前に、乾燥をある程度行って腐敗を食い止めることが可能となり、たとえ夏季の長時間放置のケースにおいても悪臭の発生を抑制でき、使用性が向上するものである。
【００２３】
以下、本発明の実施の形態について、図面を参照しながら説明する。尚、この実施の形態によって本発明が限定されるものではない。
【００２４】
（実施の形態１）
以下、本発明の実施の形態１について図１〜図３を参照しながら説明する。
【００２５】
図１は本発明の実施の形態における全体図であり、生ごみを投入する処理槽１と、前記処理槽１内の生ごみを加熱・乾燥するための加熱手段である乾燥ヒータ２と、前記乾燥ヒータ２の熱を前記処理槽１内の生ごみに送るための乾燥ファンモータ１０と、前記処理槽１内の生ごみを撹拌するための撹拌手段である撹拌羽３と、前記処理槽１に連通し前記処理槽１内の生ごみから発生する蒸気の脱臭を行う触媒６と、前記触媒６の脱臭能力を高めるための加熱を行う触媒加熱ヒータ７と、前記触媒６の下流側に配置され前記処理槽１内の蒸気を吸引し前記触媒６を経由して機器外に排気するための吸引ファンモータ９と、使用者が機器の操作を行うための操作部４を有している。更に、前記乾燥ヒータ２の側近に配置され、前記処理槽１内の温度を検知するための庫内温度センサ５と、前記触媒６側近に配置され、前記触媒６の温度を検知する触媒温度センサ８と、前記処理槽１の下側に配置され、前記処理槽１内に生ごみが投入されたことを検知するための生ごみ投入検知ＳＷ１１を有している。
【００２６】
図２は前記操作部４の一例であり、これを参照しながら前記操作部４の詳細について説明していく。
【００２７】
前記操作部４は、使用者が機器の運転開始を行うための運転スイッチ１７と、運転中であることを知らせるための運転表示２４、運転を途中で停止させるための切スイッチ１８、予約時刻の設定を行うための時刻予約スイッチ１９、予約曜日の設定を行うための曜日予約スイッチ２０、予約時刻を表示する予約時刻表示３４、予約曜日を表示する予約曜日表示３５、予約中であることを知らせるための予約表示２５、現在の時刻・曜日を設定するための設定スイッチ２１、現在時刻を表示する時刻表示３２、曜日を表示する曜日表示３３、及び電池の残量を表示するための電池残量表示３１を有している。
【００２８】
次に図３を参照しながら、本発明の一実施の形態におけるシステムブロック図の説明を行う。
【００２９】
商用電源１２からの電力供給経路に電源リレー１３が設けられており、前記電源リレー１３をオンすることによって、前記商用電源１２から第一の信号制御手段１５及び乾燥ヒータ２、触媒加熱ヒータ７、撹拌羽根モータ３、吸引ファンモータ９、乾燥ファンモータ１０に電源が供給される構成になっている。又、前記第一の信号制御手段１５には、庫内温度センサ５、触媒温度センサ８、及び各負荷の制御を行うための駆動手段１４、更に第二の信号制御手段１６が接続されている。尚、前記第一の信号制御手段１５と前記第二の信号制御手段１６は互いに通信を行っている。前記第二の信号制御手段１６へは前記商用電源１２と二次電池２６の両方から電源供給が行われる構成となっているが、前記電源リレー１３をオフした時に前記商用電源１２からの電力供給が停止するのと同様、前記二次電池２６から前記第二の信号制御手段１６への電力供給経路に設けられている電池電源リレー２９をオフした時には前記二次電池２６からの電源供給を停止させることができる。
【００３０】
又、前記二次電池２６には前記商用電源１２からの電力供給により充電を行うための充電回路２７及び前記二次電池２６の電圧を検出するための電圧検知手段２８が設けられている。前記第二の信号制御手段１６には運転スイッチ１７、切スイッチ１８、時刻予約スイッチ１９、曜日予約スイッチ２０、設定スイッチ２１、運転表示２４、予約表示２５、電池残量表示３１、時刻表示３２、曜日表示３３、予約時刻表示３４、予約曜日表示３５より構成される操作部４と、電源リレー１３、記憶手段２２、計時手段２３、生ごみ投入検知ＳＷ１１、前記充電回路２７、前記電圧検知手段２８、前記電源電池リレー２９が接続されており、前記第二の信号制御手段１６は前記計時手段２３を介して常時、時刻の計時を行っている。
【００３１】
次に上記構成による動作及び作用を図４〜図６を参照しながら説明する。
【００３２】
ステップ０では、常に第二の信号制御手段１６は計時手段２３を介して時刻の計時を行い、現在時刻を時刻表示３２に表示する。次に運転中でなければステップ１へ進み、運転中であればステップ１４へ進む。
【００３３】
次にステップ１では生ごみ投入検知ＳＷ１１が押されているかどうか、すなわち生ごみが処理槽１に投入されたかどうか（処理槽１内に生ごみが投入されると、生ごみの重さにより前記処理槽１が沈み込み、前記処理槽１の下側に配置された生ごみ投入検知ＳＷ１１がオンされる）の判断を行い、生ごみが投入されていれば例えばステップ２で生ごみが投入されてから１０時間経過する毎に１０分間のみ電源リレー１３をオンして第一の信号制御手段１５に商用電源１２からの電源供給を行うと共に前記第二の信号制御手段１６から前記第一の信号制御手段１５に「表面乾燥命令」を発信する。一方、前記第一の信号制御手段１５は「表面乾燥命令」を受信した場合、乾燥ヒータ２及び乾燥ファンモータ１０を駆動する。すなわち、生ごみ投入後は１０時間毎に乾燥ヒータ２及び乾燥ファンモータ１０が１０分間駆動することになる。
【００３４】
ステップ３では電圧検知手段２８により二次電池２６の残量チェックを行う。ステップ３で電池電圧が２０Ｖ以上の時は前記二次電池２６を前記第二の信号制御手段１６の電源として使用するが、２０Ｖ未満の時には電池電源リレー２９をオフすると共に前記電源リレー１３と充電回路２７をオンして前記第二の信号制御手段１６の電源として前記商用電源１２を用いると共に前記二次電池２６の充電を行う。尚、ステップ３でチェックした電池残量は、常に電池残量表示３１に表示されている。
【００３５】
次にステップ４で予約中であるかどうかの判断を行う。予約中である場合、予約後１分以上経過しているかどうかを判定し、１分以内ならば予約時刻表示３４と予約曜日表示３５は点灯させるが、１分以上経過していれば前記予約時刻表示３４と予約曜日表示２５は消灯し、且つ予約表示２５への電流を少なくして暗くする。ステップ４で予約中でなかった場合はステップ５で予約受付中であるかどうかの判断を行う。予約受付中である場合、前記予約時刻表示３４・予約曜日表示３５・予約表示２５は点滅させるが、スイッチが押されない状態が５秒以上継続すれば予約受付終了となり、その時点の予約設定時刻・曜日を記憶手段２２に記憶して予約中となり、各表示も点滅から点灯にかわる。
【００３６】
次にステップ６で現在時刻が予約時刻に達したかどうかの判断を行う。予約時刻に達するかまたはステップ７で運転スイッチ１７が押された場合は前記予約表示２５・予約時刻表示３４・予約曜日表示３５を消灯して予約終了すると共に、運転表示２４を点灯。更に前記電源リレー１３をオンして第一の信号制御手段１５に商用電源１２からの電源供給を行うと共に前記第二の信号制御手段１６から前記第一の信号制御手段１５に「運転開始命令」を発信する。一方、前記第一の信号制御手段１５は「運転開始命令」を受信した場合、運転処理を開始する。運転処理詳細については後述する。
【００３７】
更に、運転中であればステップ１４で現在時刻のチェックを行い、現在時刻が夜間割引料金時間帯である２３：００〜翌７：００の間であれば無条件で前記充電回路２７をオンして前記二次電池２６の充電を行い、そうでない場合でも、電池電圧が２２Ｖ未満であれば同様に前記二次電池２６の充電を行う。
【００３８】
ステップ８及びステップ１１ではそれぞれ時刻予約スイッチ１９、曜日予約スイッチ２０が押されたかどうかの判断を行い、押されたスイッチに応じた処理を行っている。いずれかのスイッチが押された場合にはそれぞれステップ９またはステップ１２で予約中かどうかの判断を行い、すでに予約中であれば予約解除して予約受付状態となる。予約中でない場合はそれぞれステップ１０またはステップ１３で予約受付中かどうかの判断を行い、予約受付中でなければ記憶手段２２に記憶されている前回予約設定時刻・曜日を今回予約設定時刻・曜日として仮設定して各々、前記予約時刻表示３４・予約曜日表示３５に表示し、予約受付を開始する。予約受付中であった場合、押されたスイッチに応じて予約時刻または予約曜日を現在設定時刻・曜日から１づつ繰り上げていく。
【００３９】
ただし予約時刻は２３時５９分を最大とし、それを超えたら再び０時０分に戻るようにする。更に時刻予約スイッチ１９が長押しされた場合（ここでは１秒以上スイッチを押された場合）、は現在設定時刻を３０づつ繰り上げるようにしている。
【００４０】
ステップ１５では切スイッチ１８の判定を行っている。切スイッチ１８が押された場合、予約中であれば予約終了、運転中であれば運転終了。電源リレー１３もオフして直ちに待機状態に戻る。
【００４１】
尚、現在時刻の設定はステップ１６で行える様になっている。
【００４２】
以降、運転中の制御詳細について説明する。
【００４３】
前記第一の信号制御手段１５は電力が供給されると同時に駆動手段１４を介して触媒加熱ヒータ７に通電し、触媒６を加熱して運転準備を行う。更に前記第一の信号制御手段１５は、４分後（すなわち前記触媒６が十分に加熱されて脱臭能力が発揮される状態になった後）駆動手段１４を介して乾燥ヒータ２及び乾燥ファンモータ１０を駆動して生ごみの加熱乾燥処理を開始すると共に、撹拌羽根モータ３を駆動して生ごみの撹拌・粉砕を行い、更に吸引ファンモータ９を駆動して処理槽１内の蒸気の排気を行う。
【００４４】
前記第一の信号制御手段１５は前記触媒６の脱臭性能を維持するために触媒温度センサ８が約３６０℃になるように駆動手段１４を介して前記触媒加熱ヒータ７の制御を行い、一方、乾燥性能を維持するために庫内温度センサ５が約１２０℃になるように駆動手段１４を介して前記乾燥ヒータ２の制御を行う。
【００４５】
具体的には前記庫内温度センサ５が１２０℃未満の時には前記乾燥ヒータ２へはフル通電を行い、１２０℃以上の時には約１／２程度の通電状態とすることで温度を一定に保つようにしている。前記処理槽１内の生ごみが未乾燥である間は蒸気が大量に発生するため１／２程度の通電状態であれば前記処理槽１内の温度は低下し、１２０℃を下回るが、前記処理槽１内の生ごみが十分に乾燥すると蒸気の量が減少するため１／２程度の通電状態であっても処理槽１内の温度は下がらずに上昇し続けるようになる。
【００４６】
これを利用して前記第一の信号制御手段１５は、処理槽１内の温度が１３０℃を超えたときに乾燥終了と判断して処理槽１の冷却を行う。冷却中は前記乾燥ヒータ２への通電は停止し処理槽１内の温度が８０℃未満（人が触れてやけどの心配のない温度）になったときに前記第一の信号制御手段１５から前記第二の信号制御手段に運転終了の信号を送信する。前記第二の信号制御手段１６は運転終了の信号を受信すると前記電源リレー１３をオフして前記第一の信号制御手段１５及びシステムへの電力供給を停止させる。尚、運転中または運転予約中に切スイッチ１８が押された場合、前記第二の信号制御手段１６は直ちに前記電源リレー１３をオフして前記第一の信号制御手段１５及びシステムへの電力供給を停止させる。
【００４７】
上記制御により、電気料金の高い昼間は極力商用電源１２を使用しないようになっており省エネ化が図れる。また使用者が任意の運転開始時刻設定を行えると共に前回予約時刻を記憶手段２２に記憶して予約操作時に前回予約時刻を一番目に表示するので（毎日同じ時刻から運転を開始したい使用者にとっては）予約時刻再設定の手間が省け、容易に電気料金の安価な夜間運転が行えるものである。更にこれによれば、毎日発生する生ごみを生ごみ処理機内にため込んでいき、次回のごみ収集日または処理終了が必要とされる時刻に確実に処理が行うことができるようになり使用性が向上する。
【００４８】
以降、具体例として、「毎週火・金曜日がごみ収集日である地域の方」の火曜日から金曜日までの使用例をあげて説明する。
【００４９】
尚、「毎週火・水曜日に発生した生ごみを生ごみ処理機に貯めておき（処理槽をごみ箱代りに使い）、木曜日の夕食後、木曜日の生ごみを生ごみ処理機に投入し、深夜電力帯（２３：００）から生ごみ処理機の運転を開始する。金曜の朝、乾燥ごみを捨てた後、再び金・土・日と生ごみを処理槽に貯めておき、月曜の生ごみと一緒に（２３：００から）乾燥処理する。」という使い方をするものとする。
【００５０】
火曜日の夕食後（２０：００）、発生した生ごみを処理槽１に入れ、時刻予約スイッチ１９と曜日予約スイッチ２０を操作して運転開始時刻を木曜日の２３：００に設定する。この時点灯している表示は予約表示２５、時刻表示３２、曜日表示３３、予約時刻表示３４、予約曜日表示３５、電池残量表示３１であるが１分後、前記時刻表示３２、曜日表示３３、予約時刻表示３４、予約曜日表示３５、電池残量表示３１を消灯し、且つ予約表示２５への電流を少なくして暗くする。
【００５１】
１０時間後（水曜日６：００）に１０分間、乾燥ヒータ２及び乾燥ファンモータ１０を駆動することで前記処理槽１内の生ごみ表面が乾燥・酸化・炭化して、前記生ごみ表面に薄膜が形成され、仮に生ごみの深部が腐敗しても、その臭気が外部に漏れることがなくなり、悪臭の発生が抑制される。更に１０時間後（１６：００）再び１０分間の表面乾燥処理を行う。夕食後（２０：００）、水曜日の生ごみを前記処理槽１に追加投入。予約時刻・曜日は先日すでに「木曜２３：００」に設定済であるため、本日は予約操作は行う必要はない。尚、現在の予約設定時刻・曜日を確認したい場合は、前記時刻予約スイッチ１９または曜日予約スイッチ２０を１回押せば、時刻表示３２、曜日表示３３、予約時刻表示３４、予約曜日表示３５、電池残量表示３１、予約表示２５が点灯し、前記予約表示２５が再び明るくなる。（１分後再び時刻表示３２、曜日表示３３、予約時刻表示３４、予約曜日表示３５、電池残量表示３１を消灯し、且つ予約表示２５への電流を少なくして暗くする。）再び、生ごみ投入（２０：００）の１０時間後（木曜日６：００）及びその更に１０時間後（木曜日１６：００）に１０分間の表面乾燥処理を行う。木曜日の夕食後（２０：００）に木曜日の生ごみを前記処理槽１に追加投入。３時間後（２３：００）から自動的に運転開始する。金曜日朝、乾燥終了したごみをステーションに捨てに行く。
【００５２】
尚、上記実施の形態において、曜日予約スイッチ２０と予約曜日表示３５の代りに日付予約スイッチと予約日付表示を設けても本実施の形態とほぼ同様の効果が得られる。
【００５３】
尚、運転予約中に予約表示２５も消灯すれば、更なる省エネ化が可能となる。
【００５４】
また、本実施の形態においては、使用者が予約設定を運転開始時刻と運転終了時刻の両方可能としているが、どちらか一方でもよい。
【００５５】
（実施の形態２）
次に、本発明の第２の実施の形態について、その動作及び作用を図７に基づいて説明する。
【００５６】
尚システム構成は上記第１の実施の形態と同一であり、その説明を省略する。
【００５７】
処理槽１内に生ごみを投入し上記第一の実施の形態と同様の操作により運転予約を行う。その後、計時手段２３により計時されている時刻が、予約設定された時刻の「推定運転時間（後述）」前になると同時に前記第二の信号制御手段１６は前記予約表示手段２１を消灯すると共に、前記電源リレー１３をオンし、商用電源１２から第一の信号制御手段１５及びシステム全体に電力を供給し、運転を開始することで、設定予約時刻に運転が終了するようにしている。
【００５８】
次に、上記「推定運転時間」の算出方法について説明する。
【００５９】
生ごみを乾燥処理する場合、生ごみの量や生ごみに含まれている水分が多い場合には処理時間が長くなり、逆に生ごみの量や生ごみに含まれる水分量が少ない場合には処理時間が短くなるというように処理を行う生ごみの状態によって運転時間が変わってくることがわかっている。また使用する家族構成や食生活などによっても生ごみの発生状況は大きく変わるものである。本実施の形態では、過去数回分の運転所要時間の平均から、その家庭での標準運転時間を算出し、予約による運転開始時刻を決定している。
【００６０】
具体的には、まず初めて運転を行う場合、「推定運転時間」として、一般家庭における標準的な生ごみに対する運転所要時間である２時間を用いる（すなわち、予約設定時刻が７時であった場合、２時間前の５時から運転を開始させる）。実際に処理を行い一回目の処理に３時間かかった場合、記憶手段２２には“３時間”が記憶される。
【００６１】
次に２回目の処理を行う場合は前回運転時間の３時間を「推定運転時間」として設定し、予約設定時刻の３時間前に運転を開始する（すなわち、予約設定時刻が７時であった場合、３時間前の４時から運転を開始させる）。実際の処理時間が２時間かかったとして、次に３回目の処理を行う場合、前回の処理時間の平均値である２．５時間を「推定運転時間」として設定し予約時刻の２．５時間前に運転を開始する（すなわち、予約設定時刻が７時であった場合、２．５時間前の４：３０から運転を開始させる）。
【００６２】
以下記憶手段２２には過去５回分の運転所要時間を記憶し、記憶された時間の平均値を次回処理時の「推定運転時間」として設定する。５回以上運転を行う場合には、記憶されている一番古い運転所要時間を最新の運転所要時間で更新していく。これにより常に最新５回分の運転処理時間の平均が算出することができ実際の使用実態にあった「推定運転時間」を算出することができるようになり、より精度の高い運転終了時刻予約が行えるものである。
【００６３】
（実施の形態３）
次に、本発明第３の実施の形態について図８を参照しながら説明する。
【００６４】
尚、ステップ０からステップ７及びステップ１６以降は実施の形態１と同一であるため、その説明を省略する。
【００６５】
ステップ８で設定スイッチ２１または時刻予約スイッチ１９が押されたかどうかの判定を行う。スイッチが押された場合、すでに予約中であれば予約解除し、予約受付状態に戻る。予約中でも予約受付中でもなかった場合、記憶手段２２に記憶されている７種類の予約時刻の内、第一の予約時刻を今回予約設定時刻として仮設定して表示し、予約受付を開始する。予約受付中であった場合、ステップ８で押されたスイッチが設定スイッチ２１であればステップ９で、表示する予約時刻（前記記憶手段２２に記憶されている７種類の予約時刻）の種類を変えていく。
【００６６】
ステップ８で押されたスイッチが時刻予約スイッチ１９であればステップ１０で、現在表示されている種類の予約時刻を１づつ加算していく。ただし、２４時間を最大値とし、２４時間を越えた場合は再び０時間に戻る。予約受付中にスイッチ操作のない状態が５秒継続した場合、予約受付終了・予約開始となるが、その際、実施の形態１では一つの予約時刻のみが記憶手段２２に記憶されていたが、本実施の形態では７種類の予約時刻が全て前記記憶手段２２に記憶される。
【００６７】
これにより、例えば月曜日は夜２３：００から運転を行いたいが、火曜日は仕事の関係で夜食が０：００になるため、深夜２：００から運転を開始したい等、曜日によって運転開始時刻を変えたい場合（すなわち、ある程度決まった運転開始時刻が複数存在する場合）においても、７種類の予約設定を記憶でき、さらにそれらの中から簡単にに予約設定時刻を選択できる。
【００６８】
つまり上記の例の場合、「第一の予約時刻」には「２３：００」を記憶し、「第二の予約時刻」には「２：００」を記憶しておけば、月曜日は生ごみを処理槽１に投入した後、設定スイッチ２１を押して「第一の予約時刻」（２３：００）を選択するが、火曜日は同様に設定スイッチ２１を押して「第二の予約時刻」（２：００）を選択する。これによれば、わざわざ曜日によって予約設定をやり直すことがなく、「複数の予約時刻からの選択」が可能になるため使用性が向上する。
【産業上の利用可能性】
【００６９】
以上のように、本発明にかかる生ごみ処理機は、使用者が機器の運転開始時刻または運転終了時刻を任意に選択して運転予約を行えるので電気料金の安価な夜間運転が容易に行え、省エネ化・電気代削減に対して有用である。
【図面の簡単な説明】
【００７０】
【図１】本発明の第１の実施の形態における全体図
【図２】同操作部詳細図
【図３】同システムブロック図
【図４】同第一の信号制御手段の制御フローチャート
【図５】同第二の信号制御手段の制御フローチャート
【図６】同第二の信号制御手段の制御フローチャート
【図７】本発明の第２の実施の形態におけるタイミングチャート
【図８】本発明の第３の実施の形態における制御フローチャート
【符号の説明】
【００７１】
１  処理槽
２  乾燥ヒータ（加熱手段）
３  撹拌羽（撹拌手段）
４  操作部
１２  商用電源
１５  第一の信号制御手段
１６  第二の信号制御手段
２２  記憶手段
２６  二次電池
３１  電池残量表示
【図１】
2005087950.tif 000003
【図２】
2005087950.tif 000004
【図３】
2005087950.tif 000005
【図４】
2005087950.tif 000006
【図５】
2005087950.tif 000007
【図６】
2005087950.tif 000008
【図７】
2005087950.tif 000009
【図８】
2005087950.tif 000010